(57)【要約】【課題】封止部を介した力が、封止部の内部に設けられた要素に加わるのを抑制することができる照明装置を提供することである。【解決手段】実施形態に係る照明装置は、基板と；前記基板の表面に設けられた配線パターンと；前記配線パターンの上に設けられた発光素子と；前記発光素子を囲むように設けられた包囲壁部材と；前記包囲壁部材の内側に設けられ、前記発光素子を覆う封止部と；を具備している。    そして、前記封止部の光の出射面は、光の出射方向に向けて突出した曲面を有し、前記封止部の頂部は、前記包囲壁部材の前記基板に設けられる側とは反対側の面よりも前記基板側に設けられている。【選択図】図４
2014220166.tif 000002
【特許請求の範囲】
【請求項１】
基板と；
前記基板の表面に設けられた配線パターンと；
前記配線パターンの上に設けられた発光素子と；
前記発光素子を囲むように設けられた包囲壁部材と；
前記包囲壁部材の内側に設けられ、前記発光素子を覆う封止部と；
を具備し、
前記封止部の光の出射面は、光の出射方向に向けて突出した曲面を有し、
前記封止部の頂部は、前記包囲壁部材の前記基板に設けられる側とは反対側の面よりも前記基板側に設けられている照明装置。  
【請求項２】
前記包囲壁部材の内壁には、前記包囲壁部材の厚み方向において、前記基板側に設けられた第１の傾斜面と、前記基板側とは反対側に設けられた第２の傾斜面と、前記第１の傾斜面と前記第２の傾斜面とをつなぐ面と、が設けられ、
前記第１の傾斜面と前記第２の傾斜面とは、前記基板側とは反対側に向かうにしたがい、前記包囲壁部材の中心軸から離隔する方向に傾斜している請求項１記載の照明装置。
【請求項３】
前記第１の傾斜面と前記第２の傾斜面とをつなぐ面は、前記基板側とは反対側に向かうにしたがい、前記包囲壁部材の中心軸から離隔する方向、または、前記包囲壁部材の中心軸に近接する方向に傾斜している請求項２記載の照明装置。
【請求項４】
前記第１の傾斜面と前記第２の傾斜面とをつなぐ面は、前記包囲壁部材の中心軸に垂直な平面である請求項２記載の照明装置。
【請求項５】
前記第２の傾斜面と、前記第１の傾斜面と前記第２の傾斜面とをつなぐ面と、の境界部分に設けられた溝部をさらに具備した請求項２〜４のいずれか１つに記載の照明装置。
【請求項６】
前記配線パターンと電気的に接続された給電端子と；
前記給電端子と嵌め合わされるソケットと；
をさらに具備した請求項１〜５のいずれか１つに記載の照明装置。
【発明の詳細な説明】
【技術分野】
【０００１】
後述する実施形態は、概ね、照明装置に関する。
【背景技術】
【０００２】
基板と、基板の表面に設けられた配線パターンと、配線パターンの上に設けられた発光ダイオード（Light Emitting Diode：ＬＥＤ）と、発光ダイオードを囲むようにして基板の表面に設けられたの包囲壁部材と、包囲壁部材の内側に設けられ、発光ダイオードや配線などを覆う封止部と、を具備した照明装置がある。  
そして、封止部の光の出射面が、光の出射方向に向けて突出した曲面となっているものがある。  
この様な照明装置は、灯具などに取り付けて用いられる。そして、照明装置を灯具などに取り付ける際には、光が漏れないようにするために、照明装置の光の出射側と、灯具などの取り付け側とをなるべく近づけるようにしている。  
そのため、封止部の光の出射面が光の出射方向に向けて突出した曲面となっていると、封止部と灯具などの取り付け側とが接触し、封止部を介して発光ダイオード、配線、および包囲壁部材などに力が加わるおそれがある。  
また、照明装置が車載用である場合には、振動などがさらに加わるため、封止部を介して発光ダイオード、配線、および包囲壁部材などに力が加わりやすくなる。  
そして、封止部を介して発光ダイオード、配線、および包囲壁部材などに力が加わると、発光ダイオードや包囲壁部材などが剥がれたり、配線が断線したりするおそれがある。    そのため、封止部の光の出射面が光の出射方向に向けて突出した曲面となっていても、封止部を介した力が、封止部の内部や外部に設けられた要素に加わるのを抑制することができる照明装置の開発が望まれていた。
【先行技術文献】
【特許文献】
【０００３】
【特許文献１】特開２００７−１７６２１９号公報
【発明の概要】
【発明が解決しようとする課題】
【０００４】
本発明が解決しようとする課題は、封止部を介した力が、封止部の内部や外部に設けられた要素に加わるのを抑制することができる照明装置を提供することである。
【課題を解決するための手段】
【０００５】
実施形態に係る照明装置は、基板と；前記基板の表面に設けられた配線パターンと；前記配線パターンの上に設けられた発光素子と；前記発光素子を囲むように設けられた包囲壁部材と；前記包囲壁部材の内側に設けられ、前記発光素子を覆う封止部と；を具備している。  
そして、前記封止部の光の出射面は、光の出射方向に向けて突出した曲面を有し、前記封止部の頂部は、前記包囲壁部材の前記基板に設けられる側とは反対側の面よりも前記基板側に設けられている。
【発明の効果】
【０００６】
本発明の実施形態によれば、封止部を介した力が、封止部の内部や外部に設けられた要素に加わるのを抑制することができる照明装置を提供することができる。
【図面の簡単な説明】
【０００７】
【図１】本実施の形態に係る照明装置１を例示するための模式斜視図である。
【図２】発光部２０の模式分解図である。
【図３】発光部２０の模式平面図である。
【図４】図３におけるＡ−Ａ線断面図である。
【図５】（ａ）、（ｂ）は、照明装置の取り付け状態を例示するための模式図である。
【図６】比較例に係る発光部２２０について例示をするための模式図である。
【図７】比較例に係る発光部３２０について例示をするための模式図である。
【図８】（ａ）〜（ｃ）は、他の実施形態に係る包囲壁部材を例示するための模式図である。
【発明を実施するための形態】
【０００８】
第１の発明は、基板と；前記基板の表面に設けられた配線パターンと；前記配線パターンの上に設けられた発光素子と；前記発光素子を囲むように設けられた包囲壁部材と；前記包囲壁部材の内側に設けられ、前記発光素子を覆う封止部と；を具備した照明装置である。  
そして、前記封止部の光の出射面は、光の出射方向に向けて突出した曲面を有し、前記封止部の頂部は、前記包囲壁部材の前記基板に設けられる側とは反対側の面よりも前記基板側に設けられている。    
この照明装置によれば、封止部を介した力が、封止部の内部や外部に設けられた要素に加わるのを抑制することができる。
【０００９】
第２の発明は、第１の発明において、前記包囲壁部材の内壁には、前記包囲壁部材の厚み方向において、前記基板側に設けられた第１の傾斜面と、前記基板側とは反対側に設けられた第２の傾斜面と、前記第１の傾斜面と前記第２の傾斜面とをつなぐ面と、が設けられた照明装置である。  
そして、前記第１の傾斜面と前記第２の傾斜面とは、前記基板側とは反対側に向かうにしたがい、前記包囲壁部材の中心軸から離隔する方向に傾斜している。  
この照明装置によれば、封止部の光の出射面が適正な曲面を有したものとなるようにすることができる。
【００１０】
第３の発明は、第２の発明において、前記第１の傾斜面と前記第２の傾斜面とをつなぐ面は、前記基板側とは反対側に向かうにしたがい、前記包囲壁部材の中心軸から離隔する方向、または、前記包囲壁部材の中心軸に近接する方向に傾斜している照明装置である。  この照明装置によれば、封止部の光の出射面が適正な曲面を有したものとなるようにすることができる。
【００１１】
第４の発明は、第２の発明において、前記第１の傾斜面と前記第２の傾斜面とをつなぐ面は、前記包囲壁部材の中心軸に垂直な平面である照明装置である。    
この照明装置によれば、封止部の光の出射面が適正な曲面を有したものとなるようにすることができる。
【００１２】
第５の発明は、第２〜第４のいずれか１つの発明において、前記第２の傾斜面と、前記第１の傾斜面と前記第２の傾斜面とをつなぐ面と、の境界部分に設けられた溝部をさらに具備した照明装置である。  
この照明装置によれば、封止部の光の出射面が適正な曲面を有したものとなるようにすることができる。
【００１３】
第６の発明は、第１〜第５のいずれか１つの発明において、前記配線パターンと電気的に接続された給電端子と；前記給電端子と嵌め合わされるソケットと；をさらに具備した照明装置である。
【００１４】
以下、図面を参照しつつ、実施の形態について例示をする。なお、各図面中、同様の構成要素には同一の符号を付して詳細な説明は適宜省略する。  
図１は、本実施の形態に係る照明装置１を例示するための模式斜視図である。  
図２は、発光部２０の模式分解図である。  
図３は、発光部２０の模式平面図である。  
図４は、図３におけるＡ−Ａ線断面図である。
【００１５】
図１に示すように、照明装置１には、本体部１０、発光部２０、給電部３０、およびソケット４０が設けられている。  
本体部１０には、収納部１１、フランジ部１２、およびフィン１３が設けられている。  収納部１１は、円筒状を呈し、フランジ部１２の一方の面から突出している。収納部１１の内側には、発光部２０が収納されている。また、収納部１１の内側には、給電部３０の給電端子３１が突出している。
【００１６】
収納部１１の外壁面には、複数の凸部１１ａが突出している。複数の凸部１１ａは、例えば、照明装置１を図示しない灯具などに取り付ける際に灯具側の取付部材と協働して、図示しない灯具などに照明装置１を保持させる。  
また、複数の凸部１１ａとフランジ部１２との間には、ゴムやシリコーン樹脂などの材料からなるシール部材を設けることもできる。
【００１７】
フランジ部１２は、円板状を呈し、一方の面には収納部１１が設けられ、他方の面にはフィン１３が設けられている。  
フィン１３は、フランジ部１２の面から突出して複数設けられている。複数のフィン１３は、板状を呈し、放熱フィンとして機能する。
【００１８】
本体部１０は、発光部２０および給電部３０などを収納する機能と、発光部２０や給電部３０で発生した熱を照明装置１の外部に放出する機能とを有する。  
そのため、熱を外部に放出することを考慮して、本体部１０を熱伝導率の高い材料から形成することができる。例えば、本体部１０は、アルミニウム、アルミニウム合金、高熱伝導性樹脂などから形成することができる。高熱伝導性樹脂は、例えば、ＰＥＴやナイロン等の樹脂に、熱伝導率の高い炭素や酸化アルミニウム等の繊維や粒子を混合させたものである。  
この場合、フィン１３などの熱を外部に放出する部分を熱伝導率の高い材料から形成し、その他の部分を樹脂などから形成することもできる。
【００１９】
また、本体部１０の主要部分を導電性材料で構成する場合は、給電端子３１と本体部１０の導電性材料との間の電気絶縁性を確保するため、給電端子３１の周囲を絶縁材料（図示しない）で覆い、更に、その周囲に導電性材料を配置する構成としても良い。絶縁材料は、例えば、樹脂などであって、熱伝導率が高い材料が好ましい。
【００２０】
図２〜図４に示すように、発光部２０には、基板２１、発光素子２２、制御素子２３、配線パターン２４、配線２５、接合部２６、封止部２７、および包囲壁部材２８が設けられている。  
基板２１は、本体部１０の収納部１１の内側に設けられている。  
基板２１は、板状を呈し、表面に配線パターン２４が設けられている。  
基板２１は、例えば、酸化アルミニウムや窒化アルミニウムなどセラミックス、紙フェノールやガラスエポキシなどの有機材料、金属板の表面を絶縁材料で被覆したものなどから形成することができる。  
なお、金属板の表面を絶縁材料で被覆する場合には、絶縁材料は、有機材料からなるものであってもよいし、無機材料からなるものであってもよい。
【００２１】
この場合、発光素子２２の発熱量が多い場合には、放熱の観点から熱伝導率の高い材料を用いて基板２１を形成することが好ましい。熱伝導率の高い材料としては、例えば、酸化アルミニウムや窒化アルミニウムなどのセラミックス、高熱伝導性樹脂、金属板の表面を絶縁体で被覆したものなどを例示することができる。  
また、基板２１は、単層であってもよいし、多層であってもよい。
【００２２】
発光素子２２は、基板２１の表面に設けられた配線パターン２４の上に設けられている。発光素子２２は、配線パターン２４に設けられる側とは反対側の面（上面）に電極２９を有したものとすることができる。なお、電極２９は、配線パターン２４に設けられる側の面（下面）と、配線パターン２４に設けられる側とは反対側の面（上面）とに設けられていてもよいし、どちらかの面のみに設けられていてもよい。
【００２３】
発光素子２２の下面に設けられた電極２９は、銀ペーストなどの導電性の熱硬化材を介して配線パターン２４に設けられた実装パッドと電気的に接続されている。発光素子２２の上面に設けられた電極２９は、配線２５を介して配線パターン２４に設けられた配線パッドと電気的に接続されている。
【００２４】
発光素子２２は、例えば、発光ダイオード、有機発光ダイオード、レーザダイオードなどとすることができる。  
図４に示すように、発光素子２２の光の出射面である上面は、照明装置１の正面側に向けられており、主に、照明装置１の正面側に向けて光を出射する。  
発光素子２２の数、大きさ、配置などは、例示をしたものに限定されるわけではなく、照明装置１の大きさや用途などに応じて適宜変更することができる。
【００２５】
制御素子２３は、配線パターン２４の上に設けられている。  
制御素子２３は、発光素子２２に流れる電流を制御する。すなわち、制御素子２３は、発光素子２２の発光を制御する。  
制御素子２３は、例えば、抵抗器とすることができる。
【００２６】
発光素子２２の順方向電圧特性にはばらつきがあるので、発光素子２２の明るさ（光束、輝度、光度、照度）には、ばらつきが生じる得る。そのため、発光素子２２の明るさが所定の範囲内に収まるように、制御素子２３により、発光素子２２に流れる電流の値が所望の範囲内となるようにしている。
【００２７】
なお、図３に例示をした制御素子２３は、表面実装型の抵抗器であるがこれに限定されるわけではない。  
制御素子２３は、例えば、スクリーン印刷法などを用いて形成された膜状の抵抗器とすることもできる。  
制御素子２３は、例えば、酸化ルテニウムを用いて形成された膜状の抵抗器とすることができる。
【００２８】
制御素子２３を膜状の抵抗器とすれば、膜状の抵抗器の一部を除去することで、抵抗値を変化させ、発光素子２２に流れる電流の値が所望の範囲内となるようにすることができる。  
この場合、膜状の抵抗器の一部を除去すれば、抵抗値は増加することになる。  
膜状の抵抗器の一部の除去は、例えば、膜状の抵抗器にレーザ光を照射することで行うことができる。  
制御素子２３の数や大きさなどは、例示をしたものに限定されるわけではなく、発光素子２２の数や仕様などに応じて適宜変更することができる。
【００２９】
配線パターン２４は、基板２１の少なくとも一方の表面に設けられている。  
配線パターン２４は、基板２１の両方の面に設けることもできるが、製造コストを低減させるためには、基板２１の一方の面に設けるようにすることが好ましい。  
配線パターン２４には、入力端子２４ａが設けられている。  
入力端子２４ａは、複数設けられている。入力端子２４ａには、給電部３０の給電端子３１が電気的に接続されている。そのため、発光素子２２は、配線パターン２４を介して、給電部３０と電気的に接続されている。
【００３０】
配線２５は、発光素子２２の上面に設けられた電極２９と、配線パターン２４に設けられた配線パッドとを電気的に接続する。  
配線２５は、例えば、金を主成分とする線とすることができる。ただし、配線２５の材料は、金を主成分とするものに限定されるわけではなく、例えば、銅を主成分とするものや、アルミニウムを主成分とするものなどであってもよい。
【００３１】
配線２５は、例えば、超音波溶着または熱溶着により、発光素子２２の上面に設けられた電極２９と、配線パターン２４に設けられた配線パッドとに電気的に接続される。配線２５は、例えば、ワイヤボンディング法を用いて、発光素子２２の上面に設けられた電極２９と、配線パターン２４に設けられた配線パッドとに電気的に接続することができる。
【００３２】
その他、必要に応じて、図示しない回路部品などを適宜設けることができる。図示しない回路部品は、例えば、配線パターン２４上に実装することができる。
【００３３】
接合部２６は、膜状を呈し、包囲壁部材２８と、基板２１との間に設けられている。    接合部２６は、包囲壁部材２８と、基板２１とを接合する。  
接合部２６は、例えば、シリコーン系接着剤やエポキシ系接着剤を硬化させることで形成されたものとすることができる。
【００３４】
接合部２６は、例えば、以下の手順により形成することができる。  
まず、基板２１の表面の包囲壁部材２８が設けられる領域に、シリコーン系接着剤やエポキシ系接着剤を塗布する。  
例えば、ディスペンサなどを用いて、基板２１の表面の包囲壁部材２８が設けられる領域に接着剤を塗布する。  
次に、溶剤などを蒸発させることで接着剤を硬化させ、接合部２６を形成するとともに、包囲壁部材２８と、基板２１とを接合する。  
例えば、まず、塗布された接着剤の上に包囲壁部材２８を載置する。  
続いて、包囲壁部材２８を押圧して接着剤を包囲壁部材２８に密着させるとともに、包囲壁部材２８の位置（接着剤の厚み）を調整する。  
その後、溶剤などを蒸発させることで接着剤を硬化させる。
【００３５】
ここで、接着剤の硬化前の粘度は、１Ｐａ・ｓ〜１５Ｐａ・ｓであることが好ましい。  この様な粘度とすれば、ディスペンサなどを用いて塗布を行う際に、任意の形状に塗布することが容易となる。  
また、この様な粘度とすれば、接着剤を硬化させる際に、包囲壁部材２８の位置を安定させることができる。
【００３６】
封止部２７は、包囲壁部材２８の内側に設けられている。封止部２７は、包囲壁部材２８の内側を覆うように設けられている。すなわち、封止部２７は、包囲壁部材２８の内側に設けられ、発光素子２２や配線２５などを覆っている。  
また、図２および図４に示すように、封止部２７の光の出射面２７ａ（上面）は、光の出射方向に向けて突出した曲面となっている。  
そして、図４に示すように、封止部２７の頂部は、包囲壁部材２８の基板２１に設けられる側とは反対側の面２８ｂよりも基板２１側に設けられている。  
すなわち、封止部２７の頂部は、包囲壁部材２８の面２８ｂから外方に出っ張っていない。
【００３７】
封止部２７は、透光性を有する材料から形成されている。  
封止部２７は、例えば、包囲壁部材２８の内側に樹脂を充填することで形成することができる。樹脂の充填は、例えば、ディスペンサなどの液体定量吐出装置を用いて行うことができる。  
封止部２７を形成するための樹脂は、チクソ性と、樹脂を平坦な面に供給した場合に液滴形状を一定時間維持できる程度の粘度を有したものとすることが好ましい。  
封止部２７は、例えば、シリコーン樹脂などから形成することができる。
【００３８】
包囲壁部材２８の内側に樹脂を充填すれば、発光素子２２、包囲壁部材２８の内側に配置された配線パターン２４、および配線２５などに対する外部からの機械的な接触を抑制することができる。また、ガスや水分などが、包囲壁部材２８の内側に配置された配線パターン２４、発光素子２２、および配線２５などに付着することを抑制することができる。そのため、照明装置１に対する信頼性を向上させることができる。
【００３９】
また、封止部２７には、蛍光体を含めることができる。蛍光体は、例えば、ＹＡＧ系蛍光体（イットリウム・アルミニウム・ガーネット系蛍光体）とすることができる。  
例えば、発光素子２２が青色発光ダイオード、蛍光体がＹＡＧ系蛍光体である場合には、発光素子２２から出射した青色の光によりＹＡＧ系蛍光体が励起され、ＹＡＧ系蛍光体から黄色の蛍光が放射される。そして、青色の光と黄色の光が混ざり合うことで、白色の光が照明装置１から出射される。なお、蛍光体の種類や発光素子２２の種類は例示をしたものに限定されるわけではなく、照明装置１の用途などに応じて所望の発光色が得られるように適宜変更することができる。
【００４０】
包囲壁部材２８は、複数の発光素子２２を囲むようにして、基板２１の表面に設けられている。  
包囲壁部材２８は、例えば、環状形状を有し、内側に複数の発光素子２２が配置されるようになっている。  
包囲壁部材２８は、例えば、ＰＢＴ（polybutylene terephthalate）やＰＣ（polycarbonate）などの樹脂、セラミックス、金属などから形成することができる。
【００４１】
また、包囲壁部材２８の材料を樹脂とする場合には、酸化チタンなどの粒子を混合して、発光素子２２から出射した光に対する反射率を向上させるようにすることができる。  
なお、酸化チタンの粒子に限定されるわけではなく、発光素子２２から出射した光に対する反射率が高い材料からなる粒子を混合させるようにすればよい。  
また、包囲壁部材２８は、例えば、白色の樹脂から形成することもできる。
【００４２】
図４に示すように、包囲壁部材２８の内壁には、包囲壁部材２８の厚み方向において、基板２１側に設けられた傾斜面２８ａ１（第１の傾斜面の一例に相当する）と、基板２１側とは反対側（面２８ｂの側）に設けられた傾斜面２８ａ２（第２の傾斜面の一例に相当する）と、傾斜面２８ａ１と傾斜面２８ａ２とをつなぐ面２８ａ３が設けられている。  
発光素子２２から出射した光の一部は、包囲壁部材２８の傾斜面２８ａ１で反射されて、照明装置１の正面側に向けて出射される。  
また、発光素子２２から照明装置１の正面側に向けて出射された光の一部であって封止部２７の光の出射面２７ａと外気との界面で全反射した光は、包囲壁部材２８の傾斜面２８ａ１で反射して、再び照明装置１の正面側に向けて出射される。  
すなわち、包囲壁部材２８は、リフレクタの機能を併せ持つものとすることができる。  なお、傾斜面２８ａ１、傾斜面２８ａ２、および面２８ａ３に関する詳細は後述する。
【００４３】
給電部３０には、複数の給電端子３１が設けられている。  
複数の給電端子３１は、収納部１１およびフランジ部１２の内側を延びている。複数の給電端子３１の一方の端部は、収納部１１の底面から突出し、配線パターン２４の入力端子２４ａと電気的に接続されている。複数の給電端子３１の他方の端部は、本体部１０の基板２１が設けられる側とは反対の側から露出している。
【００４４】
なお、給電端子３１の数、配置、形態などは例示をしたものに限定されるわけではなく、適宜変更することができる。  
また、給電部３０は、図示しない基板や、コンデンサや抵抗などの回路部品を備えたものとすることもできる。なお、図示しない基板や回路部品は、例えば、収納部１１またはフランジ部１２の内部に設けることができる。
【００４５】
ソケット４０には、本体部４０ａ、および配線４０ｂが設けられている。  
本体部４０ａは、樹脂などの絶縁材料から形成されている。本体部４０ａの内部には図示しないめす型端子が延びている。図示しないめす型端子の一方の端部は、本体部４０ａの一方の端面に露出している。本体部４０ａの一方の端面に露出している図示しないめす型端子の端部には、給電端子３１が嵌め合わされる。
【００４６】
図示しないめす型端子の他方に端部には、配線４０ｂが電気的に接続されている。  
配線４０ｂには、図示しない電源などが電気的に接続される。  
そのため、ソケット４０を給電端子３１に嵌め合わせることで、図示しない電源などと、発光素子２２とが電気的に接続される。  
ソケット４０は、例えば、接着剤などを用いて本体部１０側の要素に接合することができる。
【００４７】
次に、包囲壁部材２８と、封止部２７とについてさらに例示をする。  
図５（ａ）、（ｂ）は、照明装置の取り付け状態を例示するための模式図である。  
図５（ａ）は、比較例に係る照明装置の取り付け状態を例示するための模式図である。  図５（ｂ）は、本実施の形態に係る照明装置１の取り付け状態を例示するための模式図である。
【００４８】
なお、図５（ａ）、（ｂ）においては、図を見やすくするために、発光部１２０、２０と、灯具のレンズ１００のみを描いている。
【００４９】
図５（ａ）に示すように、比較例に係る発光部１２０には、封止部１２７が設けられている。封止部１２７は、発光素子２２や配線２５などを覆っている。  
封止部１２７の光の出射面１２７ａ（上面）は、光の出射方向に向けて突出した曲面となっている。封止部１２７は、例えば、シリコーン樹脂などから形成されている。
【００５０】
ここで、照明装置を灯具などに取り付ける際には、光が漏れないようにするために、照明装置の光の出射側と、灯具などの取り付け側とをなるべく近づけるようにしている。    例えば、図５（ａ）に示すように、発光部１２０の封止部１２７と、灯具のレンズ１００とをなるべく近づけるようにしている。
【００５１】
そのため、封止部１２７の光の出射面１２７ａが光の出射方向に向けて突出した曲面となっていると、封止部１２７とレンズ１００とが接触し、封止部１２７を介して発光素子２２や配線２５などに力が加わるおそれがある。  
また、照明装置が車載用である場合には、振動などがさらに加わるため、封止部１２７を介して発光素子２２や配線２５などに力が加わりやすくなる。  
そして、封止部１２７を介して発光素子２２や配線２５などに力が加わると、発光素子２２が剥がれたり、配線２５が断線したりするおそれがある。
【００５２】
また、封止部１２７に熱が加わると、封止部１２７は、全面方向に向けて延びようとする。そのため、封止部１２７の内部に設けられた発光素子２２や配線などに大きな力が加わり、発光素子２２が剥がれたり、配線２５が断線したりしやすくなる。
【００５３】
これに対して、本実施の形態に係る発光部２０においては、封止部２７の頂部は、包囲壁部材２８の面２８ｂから外方に出っ張っていない。  
そのため、図５（ｂ）に示すように、発光部２０の封止部２７と、灯具のレンズ１００とをなるべく近づけるようにしても、封止部２７とレンズ１００とが直接接触することがない。  
その結果、封止部２７を介した力が、封止部２７の内部に設けられた発光素子２２や配線２５などに加わるのを抑制することができる。
【００５４】
また、封止部２７のサイズ・体積が大きくなると、発光素子２２の点灯と消灯などにより封止部２７に発生する熱応力が大きくなる。そして、照明装置１が車載用である場合には、雰囲気温度の変化が大きい（例えば、−４０℃と+８５℃の範囲）ことがさらに加わり、熱応力はさらに大きくなるおそれがある。  
本実施の形態にかかる封止部２７とすれば、封止部２７の体積を小さくすることができる。そのため、温度変化により熱応力が発生したとしても、封止部２７の内部に設けられた発光素子２２や配線２５などに加わる力を低減させることができる。  
また、封止部２７を囲むように包囲壁部材２８が設けられているので、封止部２７が全面方向に向けて延びるのを抑制することができる。そのため、封止部１２７の内部に設けられた発光素子２２や配線などに加わる力を低減できる。
【００５５】
以上に説明したように、本実施の形態にかかる封止部２７とすれば、封止部２７の内部に設けられた発光素子２２や配線２５などや、封止部２７の外部に設けられた包囲壁部材２８に力が加わるのを抑制することができる。そのため、発光素子２２や包囲壁部材２８が剥がれたり、配線２５が断線したりするのを抑制することができる。  
また、封止部２７の体積を小さくすることができるので、製造コストを低減させることもできる。
【００５６】
次に、封止部２７の形態と、包囲壁部材２８の構成との関係について例示をする。  
図６は、比較例に係る発光部２２０について例示をするための模式図である。  
図６に示すように、発光部２２０には、環状形状を有する包囲壁部材２２８が設けられている。包囲壁部材２２８の内側には、封止部２２７が設けられている。  
そして、封止部２２７の光の出射面２２７ａ（上面）は、平面となっている。
【００５７】
封止部２２７の光の出射面２２７ａが平面となっていれば、図６に示すように、発光素子２２から出射した光が、出射面２２７ａと外気との界面で全反射しやすくなる。そのため、光の取り出し効率が悪化するおそれがある。
【００５８】
これに対して、封止部２７の光の出射面２７ａが光の出射方向に向けて突出した曲面となっていれば、出射面２７ａと外気との界面で全反射するのを抑制することができる。  
ここで、前述したように、封止部２７は、包囲壁部材２８の内側に樹脂を充填することで形成される場合がある。  
そのため、包囲壁部材２８の内側に樹脂を充填することで封止部２７を形成する場合であっても、封止部２７の光の出射面２７ａが適正な曲面を有したものとなるようにする必要がある。
【００５９】
図７は、比較例に係る発光部３２０について例示をするための模式図である。  
図７に示すように、発光部３２０には、環状形状を有する包囲壁部材３２８が設けられている。包囲壁部材３２８の内側には、樹脂を充填することで封止部３２７が設けられている。  
包囲壁部材３２８の内側に樹脂を充填すると、充填された樹脂は時間とともに広がる。  そのため、図７に示すように、形成された封止部３２７の光の出射面３２７ａがなだらかな曲面を有したものとなる。
【００６０】
封止部３２７の光の出射面３２７ａがなだらかな曲面を有したものとなると、図６に例示をした平面を有した出射面２２７ａに近づくことになる。  
そのため、図７に示すように、出射面３２７ａと外気との界面における全反射を抑制する効果が低減することになる。  
この場合、包囲壁部材３２８の内側に充填する樹脂の粘度を制御すれば、封止部３２７の光の出射面３２７ａがなだらかな曲面となるのを抑制することができる。  
しかしながら、充填する樹脂の粘度を制御するだけでは、封止部３２７の光の出射面３２７ａがなだらかな曲面となるのを抑制しきれない場合もある。
【００６１】
そこで、図４に例示をした包囲壁部材２８とすることで、封止部２７の光の出射面２７ａが適正な曲面を有したものとなるようにしている。  
前述したように、包囲壁部材２８の内壁には、包囲壁部材２８の厚み方向において、基板２１側に設けられた傾斜面２８ａ１と、基板２１側とは反対側に設けられた傾斜面２８ａ２と、傾斜面２８ａ１と傾斜面２８ａ２とをつなぐ面２８ａ３が設けられている。  
傾斜面２８ａ１および傾斜面２８ａ２は、基板２１側とは反対側に向かうにしたがい、包囲壁部材２８の中心軸２８ｃから離隔する方向に傾斜している。  
傾斜面２８ａ１の傾斜角度と傾斜面２８ａ２の傾斜角度とは異なるものであってもよいし、同じであってもよい。  
面２８ａ３は、包囲壁部材２８の中心軸２８ｃに垂直な平面とすることができる。
【００６２】
ここで、傾斜面２８ａ１により囲まれる領域に樹脂を供給すると、供給された樹脂は、広がるようにして傾斜面２８ａ１に密着する。そして、さらに樹脂を供給すると、供給された樹脂の上面の周縁が、傾斜面２８ａ１と面２８ａ３の境界部分に達する。  
供給された樹脂の上面の周縁が、傾斜面２８ａ１と面２８ａ３の境界部分に達するだけの量の樹脂を供給するようにすれば、傾斜面２８ａ１と面２８ａ３の境界部分において樹脂の流出を抑制することができるので、封止部２７の光の出射面２７ａがなだらかな曲面となるのを抑制することができる。  
そのため、封止部２７の光の出射面２７ａが適正な曲面を有したものとなるようにすることができる。  
また、供給する樹脂の粘度などをも制御することで、封止部２７の光の出射面２７ａがさらに適正な曲面を有したものとなるようにすることができる。
【００６３】
図８（ａ）〜（ｃ）は、他の実施形態に係る包囲壁部材を例示するための模式図である。
図８（ａ）に示すように、発光部２０ａには包囲壁部材３８が設けられている。  
封止部２７の頂部は、包囲壁部材３８の基板２１に設けられる側とは反対側の面３８ｂよりも基板２１側に設けられている。すなわち、封止部２７の頂部は、包囲壁部材３８の面３８ｂから外方に出っ張っていない。
【００６４】
そして、包囲壁部材３８の内壁には、包囲壁部材３８の厚み方向において、基板２１側に設けられた傾斜面３８ａ１（第１の傾斜面の一例に相当する）と、基板２１側とは反対側に設けられた傾斜面３８ａ２（第２の傾斜面の一例に相当する）と、傾斜面３８ａ１と傾斜面３８ａ２とをつなぐ面３８ａ３が設けられている。  
傾斜面３８ａ１および傾斜面３８ａ２は、基板２１側とは反対側に向かうにしたがい、包囲壁部材３８の中心軸３８ｃから離隔する方向に傾斜している。  
傾斜面３８ａ１の傾斜角度と傾斜面３８ａ２の傾斜角度とは異なるものであってもよいし、同じであってもよい。  
また、面３８ａ３も傾斜面となっている。面３８ａ３は、基板２１側とは反対側に向かうにしたがい、包囲壁部材３８の中心軸３８ｃに近接する方向に傾斜している。
【００６５】
図８（ｂ）に示すように、発光部２０ｂには包囲壁部材４８が設けられている。  
封止部２７の頂部は、包囲壁部材４８の基板２１に設けられる側とは反対側の面４８ｂよりも基板２１側に設けられている。すなわち、封止部２７の頂部は、包囲壁部材４８の面４８ｂから外方に出っ張っていない。
【００６６】
そして、包囲壁部材４８の内壁には、包囲壁部材４８の厚み方向において、基板２１側に設けられた傾斜面４８ａ１（第１の傾斜面の一例に相当する）と、基板２１側とは反対側に設けられた傾斜面４８ａ２（第２の傾斜面の一例に相当する）と、傾斜面４８ａ１と傾斜面４８ａ２とをつなぐ面４８ａ３が設けられている。  
傾斜面４８ａ１および傾斜面４８ａ２は、基板２１側とは反対側に向かうにしたがい、包囲壁部材４８の中心軸４８ｃから離隔する方向に傾斜している。  
傾斜面４８ａ１の傾斜角度と傾斜面４８ａ２の傾斜角度とは異なるものであってもよいし、同じであってもよい。  
また、面４８ａ３も傾斜面となっている。面４８ａ３は、基板２１側とは反対側に向かうにしたがい、包囲壁部材４８の中心軸４８ｃから離隔する方向に傾斜している。
【００６７】
図８（ａ）、（ｂ）に例示をした包囲壁部材３８、４８としても、前述した包囲壁部材２８と同様の効果を享受することができる。  
そのため、封止部２７の光の出射面２７ａが適正な曲面を有したものとなるようにすることができる。  
また、供給する樹脂の粘度などをも制御することで、封止部２７の光の出射面２７ａがさらに適正な曲面を有したものとなるようにすることができる。
【００６８】
図８（ｃ）に示すように、発光部２０ｃには包囲壁部材５８が設けられている。  
封止部２７の頂部は、包囲壁部材５８の基板２１に設けられる側とは反対側の面５８ｂよりも基板２１側に設けられている。すなわち、封止部２７の頂部は、包囲壁部材５８の面５８ｂから外方に出っ張っていない。
【００６９】
そして、包囲壁部材５８の内壁には、包囲壁部材５８の厚み方向において、基板２１側に設けられた傾斜面５８ａ１（第１の傾斜面の一例に相当する）と、基板２１側とは反対側に設けられた傾斜面５８ａ２（第２の傾斜面の一例に相当する）と、傾斜面５８ａ１と傾斜面５８ａ２とをつなぐ面５８ａ３が設けられている。  
傾斜面５８ａ１および傾斜面５８ａ２は、基板２１側とは反対側に向かうにしたがい、包囲壁部材５８の中心軸５８ｃから離隔する方向に傾斜している。  
傾斜面５８ａ１の傾斜角度と傾斜面５８ａ２の傾斜角度とは異なるものであってもよいし、同じであってもよい。  
また、面５８ａ３も傾斜面となっている。面５８ａ３は、基板２１側とは反対側に向かうにしたがい、包囲壁部材５８の中心軸５８ｃから離隔する方向に傾斜している。
【００７０】
またさらに、傾斜面５８ａ２と面５８ａ３との境界部分には、溝部５８ｄが設けられている。溝部５８ｄは、傾斜面５８ａ２と面５８ａ３との境界部分に沿って環状に形成されている。  
すなわち、包囲壁部材５８は、前述した包囲壁部材４８にさらに溝部５８ｄを設けた場合である。  
傾斜面５８ａ２と面５８ａ３との境界部分に沿って環状の溝部５８ｄを設けるようにすれば、傾斜面５８ａ１と面５８ａ３の境界部分を超えて樹脂が流出したとしても、環状の溝部５８ｄに樹脂を保持することで、さらなる樹脂の流出を抑制することができる。  
そのため、封止部２７の光の出射面２７ａがなだらかな曲面となるのを抑制することができる。  
なお、溝部５８ｄは、前述した包囲壁部材２８、３８、４８にも設けることができる。
【００７１】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００７２】
１  照明装置、１０  本体部、１１  収納部、１２  フランジ部、１３  フィン、２０  発光部、２１  基板、２２  発光素子、２３  制御素子、２４  配線パターン、２５  配線、２６  接合部、２７  封止部、２７ａ  出射面、２８  包囲壁部材、２８ａ１  傾斜面、２８ａ２  傾斜面、２８ａ３  面、２８ｃ  中心軸、３０  給電部、３１  給電端子、３８  包囲壁部材、３８ａ１  傾斜面、３８ａ２  傾斜面、３８ａ３  面、３８ｃ  中心軸、４０  ソケット、４８  包囲壁部材、４８ａ１  傾斜面、４８ａ２  傾斜面、４８ａ３  面、４８ｃ  中心軸、５８  包囲壁部材、５８ａ１  傾斜面、５８ａ２  傾斜面、５８ａ３  面、５８ｃ  中心軸、５８ｄ  溝部
【図１】
2014220166.tif 000003
【図２】
2014220166.tif 000004
【図３】
2014220166.tif 000005
【図４】
2014220166.tif 000006
【図５】
2014220166.tif 000007
【図６】
2014220166.tif 000008
【図７】
2014220166.tif 000009
【図８】
2014220166.tif 000010